(57)【特許請求の範囲】
【請求項１】
電解コンデンサーを載置する絶縁材からなる基台と、該基台に載置された電解コンデンサーを覆うような略円筒形状で頂部中央に開口部が穿設された一方の電極と、該開口部から昇降自在に挿通して電解コンデンサーの非絶縁部と接触させる他方の電極と、両電極間に高電圧を印加させる手段とを備え、前記開口部の内周壁に円環状の絶縁体を設けたことを特徴とする電解コンデンサーのピンホール検出装置。
【発明の詳細な説明】
【０００１】
【発明の属する技術分野】
本発明は、電解コンデンサーのピンホール検出装置、更に詳しくは電解コンデンサーの外周側壁と頂部外縁周部を被覆している熱収縮性電気絶縁材のピンホールの有無を検出する装置に関する。
【０００２】
【従来の技術】
図２は一般的な電解コンデンサー（１０）の概略断面図である。（１１）はアルミ製の円筒状のケースであり、そのケース（１１）の頂部にはアルミ製の蓋部（１２）が、底部には合成樹脂製の封止材（１３）がそれぞれ装着されて、内部は密閉状態となっている。また、ケース（１１）内には電解液を含浸したコンデンサー素子（１４）が収納されており、そのコンデンサー素子（１４）に接続している陰極端子（１５ａ）及び陽極端子（１５ｂ）が封止材（１３）を貫通している。（１６）はケース（１１）の外周側壁と蓋部（１２）の外縁周部並びに封止材（１３）の外縁周部を被覆している熱収縮性電気絶縁材（以下、単に絶縁材という）である。
【０００３】
絶縁材（１６）は、肉厚の薄いチューブ状のものを所定の長さに切断し、その中にケース（１１）を嵌入してから加熱して熱収縮させることにより、ケース（１１）の外周側壁を被覆するとともに、ケース（１１）の頂部と底部の外縁周部を、そのチューブ状絶縁材（１６）の上部と下部がそれぞれ折曲して密着することにより被覆するようになっている。そして、このような電解コンデンサー（１０）はプリント基板等に装着されるが、前記した薄い絶縁材（１６）に小さなピンホールやクラックなどの傷があると、経時的に亀裂へと発展してアルミ製ケース（１１）の側壁が露出し、他の部品と電気的に接触したりするおそれが生じる。
【０００４】
そこで、このような事態を事前に防止するために、絶縁材のピンホール検査装置として、例えば特開平６−５４８０号公報や特開平６−６１１１２号公報に記載の検査装置などが開発されて実用に供されている。
【０００５】
【発明が解決しようとする課題】
しかしながら、上記した特開平６−５４８０号公報に記載の検査装置は、ケースの外周側壁にのみ接触する第１の電極と、ケースの頂部に接触する第２の電極とで構成されているので、ケースの頂部外縁周部における絶縁材のピンホールを検査しにくい。また、特開平６−６１１１２号公報で提案されている検出装置は、円形の中空を有する円筒形の金属チューブよりなる電極と電解コンデンサーの電極部に高電圧を印加することによってピンホールを検出するようになっているので、この装置においても同様に、ケースの頂部外縁周部における絶縁材のピンホールを検出することは難しい。
【０００６】
そもそも絶縁材のピンホールは、ケースの外周側壁よりも、図２のＡ部分で示すケースの頂部外縁周部、即ち絶縁材の曲折部周辺に発生する可能性が高い。なぜなら、その曲折部周辺の絶縁材には、熱による引っ張り力と、ある程度の応力がかかるからで、どうしてもその部分における肉厚が薄くなってしまうからである。したがって、ケースの頂部外縁周部の絶縁材にピンホールが発生しやすい。
【０００７】
そこで、本発明は、上記した問題点を解決するためになされたものであって、簡単な機構でありながら、ケース外周側壁の絶縁材のピンホールはもちろん、ケース頂部外縁周部の絶縁材のピンホールをも容易に、かつ迅速に、そして確実に検出することができる電解コンデンサーのピンホール検出装置の提供を目的とするものである。
【０００８】
【課題を解決するための手段】
本発明は、上記の目的を達成するために、電解コンデンサーを載置する絶縁材からなる基台と、その基台に載置された電解コンデンサーを覆うような略円筒形状で頂部中央に開口部が穿設された一方の電極と、その開口部から昇降自在に挿通して電解コンデンサーの非絶縁部と接触させる他方の電極と、両電極間に高電圧を印加させる手段とを備え、前記開口部の内周壁に円環状の絶縁体を設けたことを特徴とするものである。
【０００９】
【発明の実施の形態】
以下、本発明の実施の形態を図面に示す実施例に基づいて詳述する。
上記したように、ケース（１１）の頂部外縁周部を熱収縮により密着して被覆している絶縁材（１６）の肉厚は約２０μと薄く、熱による引っ張り力と、ある程度の応力がかかって、図２のＡ部分で示した絶縁材（１６）の曲折部周辺ではピンホールが発生する可能性が高い。そのため、本発明では、特にこのＡ部分のピンホールを確実に検出できるようにした。
【００１０】
図１は本発明になるピンホール検出装置（１）を示す概略断面図であり、電解コンデンサー（１０）のケース（１１）を被覆している絶縁材（１６）のピンホールの有無を検出する状態を示している。（２）は電解コンデンサー（１０）を覆う、コップを逆さまにしたような略円筒形状（以下、逆コップ状という）に形成された一方の電極であり、その頂部中央には開口部（３）が穿設されている。（４）は絶縁材からなる基台であって、その中央には開口部（５）が穿設されている。そして、その基台（４）の開口部（５）を中心とした所定位置には電極（２）の底周面と嵌合する凹部（６）が円環状に設けられている。
【００１１】
（７）は例えばテフロンよりなる円環状の絶縁体であり、電解コンデンサー（１０）の蓋部（１２）において絶縁材（１６）が被覆されずに露出している部分（以下、非絶縁部という）に若干の間隙を有して対向するように、電極（２）の開口部（３）における内周壁下部に、その内径が開口部（３）と同径になるように形成されて埋設されている。（８）は同じくその非絶縁部に、開口部（３）から挿通されて接触する昇降自在な他方の電極端子であり、これら電極（２）と電極端子（８）は、既に公知の電圧印加手段（９）に接続されている。その他、（１７）は電圧計である。
【００１２】
本発明になるピンホール検出装置（１）は以上のように構成されており、次にその作用について説明をする。
まず、電解コンデンサー（１０）を基台（４）に載置するとともに、陰極端子（１５ａ）、陽極端子（１５ｂ）を基台（４）の開口部（５）に挿通する。そして、内径が電解コンデンサー（１０）の外径よりやや大きい電極（２）を電解コンデンサー（１０）の上から被せ、基台（４）の凹部（６）に電極（２）の底周面を嵌合させる。このとき、電解コンデンサー（１０）の外周壁と電極（２）の内周壁との間には若干の間隙が存在しており、電解コンデンサー（１０）の外周側壁と頂部外縁周部を被覆している絶縁材（１６）に対して、電極（２）が若干の間隙を有して対向するようになっている。
【００１３】
その後、電解コンデンサー（１０）の頂部、即ち蓋部（１２）の非絶縁部に電極端子（８）を降下させて接触させ、電極（２）にマイナス極を、電極端子（８）にプラス極をそれぞれ接続して電圧印加手段（９）により高電圧を印加する。このとき、電解コンデンサー（１０）の外周側壁並びに頂部外縁周部の絶縁材（１６）にピンホールが存在していると、その箇所で放電現象が発生するので、それを電圧計（１７）で確認することにより、電解コンデンサー（１０）のピンホールを容易に、かつ迅速に発見することができる。
【００１４】
なお、上記した一方の電極（２）は、頂部中央が開口した逆コップ状をなし、更にその開口部（３）の内周壁下部には、電解コンデンサー（１０）の頂部における非絶縁部と若干の間隙を有して対向する円環状の絶縁体（７）が埋め込まれているので、電極（２）と電極端子（８）に電圧を印加しても、その非絶縁部において放電現象が発生することはない。したがって、電解コンデンサー（１０）の外周側壁を被覆している絶縁材（１６）に存在するピンホールはもちろん、その頂部外縁周部を被覆している絶縁材（１６）に存在するピンホールをも確実に検出することができる。
【００１５】
【発明の効果】
以上、本発明になる電解コンデンサーのピンホール検出装置は、頂部中央に開口部が穿設されるとともに電解コンデンサーの外周側壁と頂部外縁周部を被覆している絶縁材に対し若干の間隙を有して対向する略円筒形状の一方の電極と、電解コンデンサーの頂部で絶縁材が被覆されずに露出している非絶縁部に接触する他方の電極とで構成され、更にその一方の電極の頂部中央に穿設した開口部の内周壁には、その非絶縁部に若干の間隙を有して対向する円環状の絶縁体が埋設されているので、一方の電極と他方の電極に電圧を印加することによって、電解コンデンサーの外周側壁を被覆している絶縁材のピンホールはもちろん、頂部外縁周部を被覆している絶縁材のピンホールをも容易に、かつ確実に検出することができる。しかも、本発明になるピンホール検出装置は、機構が簡単で操作も容易であるため、当業界に及ぼす効果には著しいものがある。
【図面の簡単な説明】
【図１】本発明になるピンホール検出装置を示す概略断面図
【図２】一般的な電解コンデンサーの概略断面図
【符号の説明】
１  ピンホール検出装置
２  電極
３  開口部
４  基台
５  開口部
６  凹部
７  絶縁体
８  電極端子
９  電圧印加手段
１０  電解コンデンサー
１１  ケース
１２  蓋部
１３  封止材
１４  コンデンサー素子
１５ａ  陰極端子
１５ｂ  陽極端子
１６  絶縁材
１７  電圧計
【図１】
0004402818.tif 000002
【図２】
0004402818.tif 000003